(57)【要約】【課題】簡便にコードを結束可能なコード結束具を提供すること。【解決手段】  伸縮可能なゴム紐２と、ゴム紐２を貫通させる孔３１が二カ所設けられた基板３と、を有するコード結束具１であって、ゴム紐２の両端部には玉４が形成され、ゴム紐２は、基板３の一方の面で両玉４により抜け留めされつつ孔３１を通って他方の面にて基板３との間でコードを挟持することを特徴とするコード結束具１。【選択図】図１
2011189953.tif 000002
【特許請求の範囲】
【請求項１】
伸縮可能な紐体と、紐体を貫通させる孔部が二カ所設けられた板体と、を有するコード結束具であって、
紐体の両端部には係止瘤体が形成され、
紐体は、板体の一方の面で両係止瘤体により抜け留めされつつ前記孔部を通って他方の面にて板体との間でコードを挟持することを特徴とするコード結束具。
【請求項２】
板体端部から孔部に到達する切込みを入れたことを特徴とする請求項１に記載のコード結束具。
【請求項３】
係止瘤体は、紐体に結合した玉体であることを特徴とする請求項１または２に記載のコード結束具。
【請求項４】
係止瘤体表面には、文字、図形、記号もしくは絵またはこれらの組合せが描画されていることを特徴とする請求項１、２または３に記載のコード結束具。
【発明の詳細な説明】
【技術分野】
【０００１】
本発明は、携帯電話の充電コードなどのコード結束具に関し、特に、趣味感も表出可能であって、かさばらず簡便にコードを束ねることのできるコード結束具に関する。
【背景技術】
【０００２】
近年、携帯電話やＰＣの普及にともない、身の回りに様々なコードが氾濫してきている。これらのコードは、図５に示したように適宜結束することもできるが、従来のこのような結束具は、見栄えが悪いという問題点があった。また、いわゆる「かえし」がついているものがほとんどで、いったん結束すると取り外しに手間取るという問題点があった。
【０００３】
ＰＣ周りのコードなどは、適宜目に付かない場所でいったん結束をすれば、ＰＣ装置や周辺機器の配置換えをしない限り解かないのでよいが、たとえば、携帯電話の充電器など、頻繁に移動をともなうコードにあっては、解いたり結束したりを繰り返す場合には、従来良好な結束具が無かったのが実情である。
【０００４】
また、特に携帯電話などは、ストラップに見られるように個々人の趣味感が表出するので、見栄えの悪い結束具は適さないという問題点があった。
【先行技術文献】
【特許文献】
【０００５】
【特許文献１】特開２００８−４１３１１
【特許文献２】特開２００８−２７６１５９
【発明の概要】
【発明が解決しようとする課題】
【０００６】
解決しようとする問題点は、簡便にコードを結束可能なコード結束具を提供する点である。
【課題を解決するための手段】
【０００７】
請求項１に記載のコード結束具は、伸縮可能な紐体と、紐体を貫通させる孔部が二カ所設けられた板体と、を有するコード結束具であって、紐体の両端部には係止瘤体が形成され、紐体は、板体の一方の面で両係止瘤体により抜け留めされつつ前記孔部を通って他方の面にて板体との間でコードを挟持することを特徴とする。
【０００８】
すなわち、請求項１に係る発明は、不使用時にはかさばらず、使用時には伸縮可能な紐体の弾性力により簡便にコードを結束できる。伸縮可能な紐体とは、たとえば、ゴム紐を挙げることができる。このゴム紐の表面は、趣味感を表出すべく蛍光色であったり模様があるものであったりしてもよい。係止瘤体は、紐体が孔から抜けないようにしてあれば特に限定されず、紐体端部を結んで瘤が形成されているだけであっても良く、また、以降に示すように、別途玉がはめ込まれた形態であっても良い。
【０００９】
請求項２に記載のコード結束具は、請求項１に記載のコード結束具において、板体端部から孔部に到達する切込みを入れたことを特徴とする。
【００１０】
すなわち、請求項２に係る発明は、紐体を板体の縁から挿入可能となり、簡便に製造、または、簡便に紐体の交換が可能となる。
【００１１】
請求項３に記載のコード結束具は、請求項１または２に記載のコード結束具において、係止瘤体は、紐体に結合した玉体であることを特徴とする。
【００１２】
すなわち、請求項３に係る発明は、確実な係止が可能となり、また、使用者の趣味感に応じた玉の選択が可能となる。玉は、必ずしも球形に限定されず、いわゆるキャラクターやフィギュアと呼ばれるような造形が施された立体物も含まれるものとする。これにより、使用者の趣味感を表出可能となる。紐体との結合方法は、たとえば内部に孔が空けられた管となっており、ここに紐を貫通ないし埋入して係止ないし接着する態様を挙げることができる。
【００１３】
請求項４に記載のコード結束具は、請求項１、２または３に記載のコード結束具において、係止瘤体表面には、文字、図形、記号もしくは絵またはこれらの組合せが描画されていることを特徴とする。
【００１４】
すなわち、請求項４に係る発明は、使用者の趣味感ないし気分を反映した愛着のわく結束具を提供可能となる。
【発明の効果】
【００１５】
本発明によれば、簡便にコードを結束したり解いたりでき、趣味感を表出させることもできるコード結束具を提供可能となる。
【図面の簡単な説明】
【００１６】
【図１】本発明のコード結束具の構成例を示した説明図である。
【図２】本発明のコード結束具の使用例を示した図である。
【図３】本発明のコード結束具の基板の他の構成例を示した説明図である。
【図４】本発明のコード結束具の留め具の他の構成例を示した説明図である。
【図５】従来のコード結束具の一例を示した図である。
【発明を実施するための形態】
【００１７】
図１は、本発明のコード結束具の構成例を示した説明図である。コード結束具１は、ゴム紐２と、基板３と、玉４とにより構成される。ゴム紐２は、その名の通り、伸縮するゴム紐であり、ここでは、表面が蛍光色の繊維で被われたゴム紐としている。太さは特に限定されないが、たとえば、１．５ｍｍ〜３ｍｍ径とすることができる。
【００１８】
基板３は、角が丸められた長方形形状であって、ゴム紐２を貫通させる孔３１が長手方向に２箇所設けられている。また、短辺には二箇所切込３２が入れてあり、孔３１に到達している。ゴム紐２は、この切込３２から孔３１に押し込まれ、基板３を貫通するようにしている。
【００１９】
基板３の大きさは特に限定されないが、携帯電話の充電器や、ＰＣマウスのコードといった太さ２ｍｍ〜３ｍｍのコードであれば、１ｃｍ×１．５ｃｍ〜１．５ｃｍ×２．５ｃｍの大きさを挙げることができる。厚みは１ｍｍ〜２ｍｍとする例を挙げることができる。素材も特に限定されず、プラスチック、金属、陶器、ガラス、石を挙げることができる。
【００２０】
玉４は、基板３の裏側からゴム紐２の抜けを防止する。換言すれば、ゴム紐２は、基板の表面で二つの玉４により抜け留めされつつ、孔３１を通って表面にて基板３との間でコードを弾性力をもって挟持する。
【００２１】
なお、図示したように、ゴム紐２は、玉４の中を通して端部で結び玉４と結合させている。後述するように、この結び目により一種のデザイン上のアクセントとすることが可能となる。
【００２２】
玉４の大きさも特に限定されないが、本実施の形態では、直径６ｍｍの半透明のビーズを用いている。
【００２３】
コード結束具１の構成は上述の通りであり、図２に示したように、ゴム紐２を持ち上げ、束ねようと思うコードを適宜差し込み、その後、ゴム紐２を離せばその弾性力によりコードが基板３側に押しつけられる。これにより、コードを簡便に結束できる。また、ゴム紐２を持ち上げれば結束がほどけるので、取り外しも簡便におこなうこともできる。なお、図では、コードは、説明の便宜上分断したように表示しているが実際は、折り返すなどされたものであることはいうまでもない。
【００２４】
以上、本発明によれば、簡便にコードを結束し、また、ほどくことが可能となる。特に、携帯電話の充電器など、コード自体が頻繁に持ち運ばれるような場合に、特に、利便性が高く、簡単に結束し、ほどくことが可能となる。
【００２５】
本発明は、上記の態様に限定されず、基板３や、玉４の形態を所有者の趣味感を演出可能な構成とすることができる。図３は、本発明のコード結束具の基板の他の構成例を示した説明図である。図４は、本発明のコード結束具の留め具の他の構成例を示した説明図である。
【００２６】
基板３の他の例としては、図示したように、ひょうたん型（ａ）、楕円型（ｂ）、雲型（ｃ）、分銅型（ｄ）、十字架型（ｅ）などを挙げることができる。これらは適宜彩色されていても良いし、表面に更に、文字、図形、記号などが描画されていても良い。
【００２７】
留め具（玉４）の他の例としては、図示したように、みかん（ａ）、いちご（ｂ）、車輪（ｃ）、ツリー（ｄ）、サンタクロース（ｅ）などを挙げることができる。これらも適宜彩色されていても良いし、表面に更に、文字、図形、記号などが描画されていても良い。なお、ツリー先端やサンタクロースの帽子先端にゴム紐２の通し孔をつければ、ゴム紐２と一体的な装飾となり、かつ、アクセントを演出することができる。
【産業上の利用可能性】
【００２８】
以上では、比較的細めのコードを結束するコード結束具としたが、これに限らず、全体を大きくして、太めのコードを結束しても良いし、たとえば、室内プランターなど園芸に用いる結束具としても良い。
【符号の説明】
【００２９】
１        コード結束具
２        ゴム紐
３        基板
４        玉
３１     孔
３２     切込
【図１】
2011189953.tif 000003
【図２】
2011189953.tif 000004
【図３】
2011189953.tif 000005
【図４】
2011189953.tif 000006
【図５】
2011189953.tif 000007